(57)【要約】【課題】撮影装置で撮影した画像データに付加する付加情報を、タブレットＰＣやスマートフォン等の外部の情報入力装置を用いて編集する場合に、効率的に編集作業を行えるようにする技術を提供する。【解決手段】画像データに付加する付加情報の入力をユーザから受け付ける入力手段と、前記入力手段により前記付加情報の入力を受け付ける際に、前記付加情報の初期値の情報をユーザに提示する提示手段と、前記入力された付加情報を、画像データを記録する記録装置へ送信する送信手段と、前記記録装置から前記記録装置に記録されている画像データに付加されている付加情報を受信する受信手段と、を備え、前記提示手段は、前記受信手段により受信した付加情報に基づき、ユーザに提示する前記初期値を決定する情報入力装置。【選択図】図１
2017163222.tif 000002
【特許請求の範囲】
【請求項１】
画像データに付加する付加情報の入力をユーザから受け付ける入力手段と、
前記入力手段により前記付加情報の入力を受け付ける際に、前記付加情報の初期値の情報をユーザに提示する提示手段と、
前記入力された付加情報を、画像データを記録する記録装置へ送信する送信手段と、
前記記録装置から前記記録装置に記録されている画像データに付加されている付加情報を受信する受信手段と、
を備え、
前記提示手段は、前記受信手段により受信した付加情報に基づき、ユーザに提示する前記初期値を決定する情報入力装置。
【請求項２】
前記受信手段は、前記記録装置が最後に記録した画像データに付加されている付加情報を受信する請求項１に記載の情報入力装置。
【請求項３】
前記受信手段は、前記記録装置において新たに記録する画像データに付加するよう設定されている付加情報を受信する請求項１に記載の情報入力装置。
【請求項４】
前記入力手段は、前記記録装置が最後に記録した画像データに付加されている付加情報を前記受信手段によって受信するか、前記記録装置において今後、記録する画像データに付加するよう設定されている付加情報を前記受信手段によって受信するか、の指示の入力をユーザから受け付け、
前記受信手段は、ユーザにより入力された指示に応じた付加情報を前記記録装置から受信する請求項１に記載の情報入力装置。
【請求項５】
前記入力手段は、前記記録装置において最後に記録した画像データの付加情報を、前記入力された付加情報によって更新する指示の入力をさらに受け付け、
前記送信手段は、前記入力された付加情報とともに前記指示を前記記録装置に送信する請求項１〜４のいずれか１項に記載の情報入力装置。
【請求項６】
前記送信手段は、前記記録装置において今後、記録する画像データに、前記入力された付加情報を付加する指示の入力をさらに受け付け、
前記送信手段は、前記入力された付加情報とともに前記指示を前記記録装置に送信する請求項１〜４のいずれか１項に記載の情報入力装置。
【請求項７】
前記提示手段は、前記情報入力装置と前記記録装置との通信が確立したときに、前記初期値の情報を自動的に提示する請求項１〜６のいずれか１項に記載の情報入力装置。
【請求項８】
前記受信手段は、前記情報入力装置と前記記録装置との通信が確立したときに、前記記録装置から前記付加情報を受信する請求項１〜６のいずれか１項に記載の情報入力装置。
【請求項９】
前記受信手段は、前記情報入力装置と前記記録装置との通信が確立した時点で、前回、前記記録装置から付加情報を受信してからの経過時間が閾値より短かった場合、前記通信が確立した記録装置から前記付加情報を受信しない請求項８に記載の情報入力装置。
【請求項１０】
前記受信手段は、前記情報入力装置と前記記録装置との通信が確立したときに、当該記録装置と、前回、付加情報を受信した記録装置と、が同一であった場合、前記通信が確立した記録装置から前記付加情報を受信しない請求項８又は９に記載の情報入力装置。
【請求項１１】
前記付加情報は、画像データのタイトル、撮影者、撮影場所、及び撮影内容の少なくと
もいずれかを含む請求項１〜１０のいずれか１項に記載の情報入力装置。
【請求項１２】
前記提示手段は、画像データに基づく画像を表示する表示パネルである請求項１〜１１のいずれか１項に記載の情報入力装置。
【請求項１３】
前記入力手段は、前記表示パネルに設けられたタッチ入力装置である請求項１２に記載の情報入力装置。
【請求項１４】
前記記録装置は、撮影装置である請求項１〜１３のいずれか１項に記載の情報入力装置。
【請求項１５】
画像データに付加する付加情報の入力をユーザから受け付ける入力工程と、
前記入力工程により前記付加情報の入力を受け付ける際に、前記付加情報の初期値の情報をユーザに提示する提示工程と、
前記入力された付加情報を、画像データを記録する記録装置へ送信する送信工程と、
前記記録装置から前記記録装置に記録されている画像データに付加されている付加情報を受信する受信工程と、
を有し、
前記提示工程では、前記受信工程により受信した付加情報に基づき、ユーザに提示する前記初期値を決定する情報入力装置の制御方法。
【請求項１６】
請求項１５に記載の各工程をコンピュータに実行させるプログラム。
【請求項１７】
画像データを記録する記録装置と、
前記記録装置と情報を通信する情報入力装置と、
からなるシステムであって、
前記情報入力装置は、
画像データに付加する付加情報の入力をユーザから受け付ける入力手段と、
前記入力手段により前記付加情報の入力を受け付ける際に、前記付加情報の初期値の情報をユーザに提示する提示手段と、
前記入力された付加情報を、画像データを記録する記録装置へ送信する送信手段と、
前記記録装置から前記記録装置に記録されている画像データに付加されている付加情報を受信する受信手段と、
を備え、
前記提示手段は、前記受信手段により受信した付加情報に基づき、ユーザに提示する前記初期値を決定することを特徴とするシステム。
【発明の詳細な説明】
【技術分野】
【０００１】
本発明は情報入力装置及びその制御方法に関するものである。
【背景技術】
【０００２】
近年、小型軽量なメモリカードに撮影した画像を記録するデジタルスチルカメラやデジタルビデオカメラ等の電子撮影装置（以下、撮影装置）が普及している。このような撮影装置は多機能化されており撮影した画像データだけでなく撮影した画像データに関連付けて様々な付加情報（メタデータ）を記録することもできるようになっている（例えば特許文献１を参照）。例えば、撮影した画像データとともに付加情報として撮影者情報、撮影場所情報、コメント等の文字情報を記録することができる。撮影した画像データに関連付けた付加情報は、例えば、編集作業を行う際に目的の画像を検索するための情報として用いることができる。付加情報は撮影前にコンピュータを用いて作成及び編集しメモリカードに記録しておき、このメモリカードを撮影装置に装着し、撮影装置はメモリカードから付加情報を読み出して撮影した画像データに関連付けて記録する。一般に、メモリカードから読み出した付加情報や撮影した画像データに関連付けて記録した付加情報に対し、撮影装置において追加や変更等の編集をすることは想定されていない。画像データの付加情報の編集はＰＣ（Personal Computer）等のコンピュータで行うのが一般的である。その
ため、付加情報の編集をするためには、撮影装置から付加情報の記録されたメモリカードを取り外し、コンピュータに読み込ませるという作業が必要だった。
【０００３】
しかし、タブレットＰＣの普及によりコンピュータの携帯性は向上している。タブレットＰＣは、タッチパネル式の表示部及び入力部を持った携帯可能なコンピュータである。タブレットＰＣは無線機能を持っているものが多くあり、様々なデータを無線により送受信することができる。また、タッチパネル式の表示部及び入力部と無線機能を持ち、無線によりデータを送受信可能なさらに小型のコンピュータであるスマートフォンも普及している。特許文献２には、画像撮影装置に無線機能を搭載し、携帯性に優れたタブレットＰＣやスマートフォン等で編集した付加情報を無線を使用して画像撮影装置に転送することで付加情報の変更処理が容易に行える技術が開示されている。
【先行技術文献】
【特許文献】
【０００４】
【特許文献１】特開２００４−２７３０７６号公報
【特許文献２】特開２００３−１８８９５０号公報
【発明の概要】
【発明が解決しようとする課題】
【０００５】
撮影装置には、撮影した画像データに付加する付加情報のプリセット値を予め設定しておくことができるものがある。また、いくつかのプリセット値を設定しておき、ユーザが選択したプリセット値の付加情報を画像データに付加するように構成することもできる。このような撮影装置によって撮影された画像データの付加情報をタブレットＰＣやスマートフォン等の外部機器を用いて編集しようとする場合、撮影装置においてどのようなプリセット値が用いられているかを確認する必要があり、作業負担となる可能性があった。
【０００６】
そこで本発明は、撮影装置で撮影した画像データに付加する付加情報を、タブレットＰＣやスマートフォン等の外部の情報入力装置を用いて編集する場合に、効率的に編集作業を行えるようにする技術を提供することを目的とする。
【課題を解決するための手段】
【０００７】
本発明は、画像データに付加する付加情報の入力をユーザから受け付ける入力手段と、
前記入力手段により前記付加情報の入力を受け付ける際に、前記付加情報の初期値の情報をユーザに提示する提示手段と、
前記入力された付加情報を、画像データを記録する記録装置へ送信する送信手段と、
前記記録装置から前記記録装置に記録されている画像データに付加されている付加情報を受信する受信手段と、
を備え、
前記提示手段は、前記受信手段により受信した付加情報に基づき、ユーザに提示する前記初期値を決定する情報入力装置である。
【０００８】
本発明は、画像データに付加する付加情報の入力をユーザから受け付ける入力工程と、
前記入力工程により前記付加情報の入力を受け付ける際に、前記付加情報の初期値の情報をユーザに提示する提示工程と、
前記入力された付加情報を、画像データを記録する記録装置へ送信する送信工程と、
前記記録装置から前記記録装置に記録されている画像データに付加されている付加情報を受信する受信工程と、
を有し、
前記提示工程では、前記受信工程により受信した付加情報に基づき、ユーザに提示する前記初期値を決定する情報入力装置の制御方法である。
【０００９】
本発明は、画像データを記録する記録装置と、
前記記録装置と情報を通信する情報入力装置と、
からなるシステムであって、
前記情報入力装置は、
画像データに付加する付加情報の入力をユーザから受け付ける入力手段と、
前記入力手段により前記付加情報の入力を受け付ける際に、前記付加情報の初期値の情報をユーザに提示する提示手段と、
前記入力された付加情報を、画像データを記録する記録装置へ送信する送信手段と、
前記記録装置から前記記録装置に記録されている画像データに付加されている付加情報を受信する受信手段と、
を備え、
前記提示手段は、前記受信手段により受信した付加情報に基づき、ユーザに提示する前記初期値を決定することを特徴とするシステムである。
【発明の効果】
【００１０】
本発明によれば、撮影装置で撮影した画像データに付加する付加情報を、タブレットＰＣやスマートフォン等の外部の情報入力装置を用いて編集する場合に、効率的に編集作業を行うことが可能になる。
【図面の簡単な説明】
【００１１】
【図１】デジタルビデオカメラ１００の機能構成を示す図
【図２】携帯端末２００の機能構成を示す図
【図３】デジタルビデオカメラ１００のメニュー画面の表示例
【図４】携帯端末２００の外部機器制御モードでの処理を示すフローチャート
【図５】携帯端末２００の外部機器制御モードでの付加情報画面の表示例
【図６】デジタルビデオカメラ１００の動作を示すフローチャート
【図７】携帯端末２００の自動取得設定メニューの表示例
【図８】携帯端末２００の第２の実施例の全体処理のフローチャート
【発明を実施するための形態】
【００１２】
＜実施例１＞
図１と図２に、本発明を適用可能なシステムの構成の一例を示す。このシステムは、撮影により得られた画像データを記録する記録装置（撮像装置）と、記録装置と情報を通信する情報入力装置と、から構成される。実施例１の記録装置は、図１に示すデジタルビデオカメラ１００（カムコーダ）であり、実施例１の情報入力装置は、図２に示す携帯端末２００である。なお、実施例１で示すシステムを構成する記録装置及び情報入力装置の構成は一例であり、これに限らない。例えば、記録装置は撮像により得られた画像データを記録するものに限らず、放送を受信して番組の画像データを記録するものでも良い。
図１に示すように、デジタルビデオカメラ１００は、制御部１０を有し、制御部１０には画像圧縮／伸長部１１、撮像部１２、画像処理部１３、無線通信部１４、表示部１５、操作部１６、ＲＯＭ１７、ＲＡＭ１８、Ｉ／Ｆ１９が接続される。制御部１０と各機能部は互いにデータのやり取りを行うことができるように構成されている。
【００１３】
制御部１０は、デジタルビデオカメラ１００のシステム全般を制御するＣＰＵ（Central Processing Unit）である。制御部１０はＲＯＭ１７に記録されたプログラムをＲＡＭ
１８に展開して実行することで、各機能部の機能を実現し、後述のフローチャートで示す処理を実行する。
ＲＯＭ１７は、不揮発性の記憶装置であり、制御部１０が実行するプログラムを記憶している。
ＲＡＭ１８は、制御部１０のワークメモリとして用いられる揮発性の記憶装置である。また、ＲＡＭ１８は、撮像部１２で撮像し画像処理部１３により画像処理された画像データや、記録媒体２０から読み出した画像データに対し、画像圧縮／伸長部１１で圧縮処理又は伸長処理を施す際のワークメモリとして用いられる。ＲＡＭ１８は、表示部１５で画像を表示するために一時的に画像データを格納するＶＲＡＭとしても用いられる。ＲＡＭ１８は、撮像した画像データに関連付けて記録する付加情報を一時的に格納する記憶域としても用いられる。デジタルビデオカメラ１００は、付加情報を無線通信部２４を介して携帯端末２００から受信する。
【００１４】
Ｉ／Ｆ１９は、画像データを記録するための記録媒体２０を着脱可能なインターフェースである。Ｉ／Ｆ１９は、メモリカード等の着脱可能な記録媒体２０を挿入可能なスロットになっている。なお、図１においては、Ｉ／Ｆ１９に記録媒体２０が装着されている例を図示している。なお、デジタルビデオカメラ１００は、着脱可能な記録媒体２０に画像データを記録する構成でも良いし、着脱が不可能でデジタルビデオカメラ１００に内蔵されたメモリに画像データを記録する構成でも良い。
【００１５】
画像処理部１３は、撮像部１２で撮像された画像データに対し画像処理を行う。画像処理には、例えば、画素補間、リサイズ処理、色変換処理等がある。また、画像処理部１３は、撮像された画像データに対し所定の演算処理を行い、演算結果に基づき、制御部１０は撮像部１２の撮像に関する各種制御（露光制御、オートホワイトバランス制御等）を行う。
画像圧縮／伸長部１１は、画像処理部１３で画像処理された画像データを圧縮する処理や、記録媒体２０から読み出した画像データに対する伸長処理を行う。
撮像部１２は、レンズ（ズームレンズやフォーカスレンズ等）と撮像素子を有し、制御部１０の制御により被写体を撮像し、静止画像データや動画像データ等の画像データを取得する。
【００１６】
表示部１５は、制御部１０の制御に基づき、各種設定状態や、撮像部１２で撮像されている画像、記録媒体２０から読み出した画像データを再生した画像等を表示するためのディスプレイである。表示部１５は、覗き込み形のファインダー内のディスプレイや、バリ
アングルの液晶モニタ等により構成される。
【００１７】
操作部１６は、デジタルビデオカメラ１００に電源を供給するための電源スイッチ、撮影開始ボタン、カメラモード（撮影モード）と再生モードとを切り替えるモード切替ボタン等を含む、ユーザからの操作を受け付けるユーザインターフェースである。操作部１６は、物理的なボタンや十字キー等により構成しても良いし、タッチパネル（タッチ入力装置）により構成しても良い。タッチパネルにより操作部１６を構成する場合、制御部１０は、タッチパネルへの以下の操作を検出する。
・タッチパネルを指やペンで触れたこと（以下、タッチダウンと称する）。
・タッチパネルを指やペンで触れている状態であること（以下、タッチオンと称する）。・タッチパネルを指やペンで触れたまま移動していること（以下、ムーブと称する）。
・タッチパネルへ触れていた指やペンを離したこと（以下、タッチアップと称する）。
・タッチパネルに何も触れていない状態（以下、タッチオフと称する）。
これらの操作や、タッチパネル上に指やペンが触れている位置座標は制御部１０に通知され、制御部１０は通知された情報に基づいてタッチパネル上にどのような操作が行われたかを判定する。
【００１８】
制御部１０は、ムーブのタッチ操作に関して、タッチパネル上で移動する指やペンの移動方向の垂直成分・水平成分を、タッチ位置座標の変化に基づき判定する。制御部１０は、タッチパネル上をタッチダウンから一定のムーブを経てタッチアップをしたとき、ストロークを描いたと判定する。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。制御部１０は、所定距離以上を、所定速度以上でムーブしたことを検出し、そのままタッチアップを検出した場合、フリックが行われたと判定する。また、制御部１０は、所定距離以上を、所定速度未満でムーブしたことを検出した場合、ドラッグが行われたと判定する。タッチパネルは、抵抗膜方式、静電容量方式、表面弾性波方式、赤外線方式、電磁誘導方式、画像認識方式、光センサ方式等、様々な方式のタッチパネルのうちいずれの方式のものを用いても良い。
【００１９】
無線通信部１４は、制御部１０の制御に基づき、外部カメラ、タブレットＰＣ、パーソナルコンピュータといった外部機器とデータの送受信を無線通信により行う。デジタルビデオカメラ１００は、デジタル設定情報や操作情報等を外部機器に送信し、デジタルビデオカメラ１００を操作するコマンドや画像データとともに記録する付加情報等を外部機器から受信する。無線通信部１４は、デジタル画像データやアナログ画像信号を送受信するよう構成しても良い。
タイマ２１は時間を測定する手段であり、制御部１０の制御において、経過時間を判定する際の情報を生成する。
【００２０】
図２に示すように、携帯端末２００は、制御部２０１を有し、制御部２０１には表示部２０２、操作部２０３、無線通信部２０４、ＲＯＭ２０５、ＲＡＭ２０６が接続される。制御部２０１と各機能部は互いにデータのやり取りを行うことができるように構成されている。
制御部２０１は、携帯端末２００のシステム全般を制御するＣＰＵ（Central Processing Unit）である。制御部２０１はＲＯＭ２０５に記録されたプログラムをＲＡＭ２０６
に展開して実行することで、各機能部の機能を実現し、後述のフローチャートに示す処理を実行する。
ＲＯＭ２０５は、不揮発性の記憶装置であり、制御部２０１が実行するプログラムを記憶している。
ＲＡＭ２０６は、制御部２０１のワークメモリとして用いられる揮発性の記憶装置であ
る。
【００２１】
表示部２０２は、画像データに基づく画像を表示する表示パネルであり、制御部１０の制御に基づき、携帯端末２００の各種設定状態や無線通信部２０４より受信したデータ（デジタル画像データやアナログ画像信号を含む）等を表示するためのディスプレイである。表示部２０２は、液晶パネル、有機ＥＬ（Electro-Luminescence）パネル、ＭＥＭＳ（Micro Electro Mechanical Systems）シャッター式パネル等の種々の表示パネルを用いることができる。
操作部２０３は、携帯端末２００に電源を供給するための電源スイッチ等、ユーザからの操作を受け付けるユーザインターフェースである。なお、操作部２０３は、デジタルビデオカメラ１００の操作部１６と同様に、表示部２０２の表面に設けられたタッチ入力装置であるタッチパネルを含む。
無線通信部２０４は、制御部２０１の制御に基づき、外部カメラやパーソナルコンピュータといった外部機器とデータの送受信を無線通信により行う。携帯端末２００は、デジタルビデオカメラ１００の設定情報や操作情報等を受信し、デジタルビデオカメラ１００を操作するコマンドや画像データとともに記録する付加情報等を送信する。無線通信部２０４は、デジタル画像データやアナログ画像信号を送受信するよう構成しても良い。
【００２２】
図３は、デジタルビデオカメラ１００における、付加情報選択メニューの例である。
操作部１６に含まれるメニューボタンを操作することによって、図３に示すようなメニュー３００が表示部１５に表示される。メニュー３００の項目から付加情報を設定する指示は、操作部１６に含まれる十字ボタンを操作して選択カーソル３０１を動かし、メニュー３００の中から「ＳＤ  ＣＡＲＤ」内の付加情報プリセット値（図３ではＤａｔａ３）を選択する操作を行うことで入力される。「ＳＤ  ＣＡＲＤ」は記録媒体２０としてＳＤカードが挿入されていることを表す。実施例１のデジタルビデオカメラ１００では、付加情報のプリセットデータを予め記録したＳＤカードからプリセット情報を読み込んで利用することが可能である。図３の例では、Ｄａｔａ１からＤａｔａ３の３つの付加情報のプリセットデータがＳＤカードに記録されていることを示す。なお、Ｉ／Ｆ１９を複数設けることで、記録媒体２０を複数着脱可能とし、画像データを記録する記録媒体と、付加情報のプリセットデータを記録する記録媒体とを別個にすることも可能である。
メニュー３００においてユーザが上記のようにＳＤカードに含まれるプリセットデータＤａｔａ３を選択する操作を行うことで、デジタルビデオカメラ１００で新たに撮影した画像データには、Ｄａｔａ３の内容の付加情報が付加されて記録される。
【００２３】
図４のフローチャートに示す処理は、携帯端末２００を構成する制御部２０１がＲＯＭ２０５に格納されたプログラムをＲＡＭ２０６に展開して実行することにより実現される。ユーザの操作部２０３に対する操作によって携帯端末２００が外部機器制御モードに設定されると図４のフローチャートの処理が開始される。なお、外部機器制御モードとは、携帯端末２００に入力される情報や設定を、外部機器であるデジタルビデオカメラ１００に送信して、デジタルビデオカメラ１００を制御するモードである。携帯端末２００は、外部機器を制御しないその他の動作モードを有していても良い。
【００２４】
Ｓ４００では、制御部２０１は、外部機器との通信の確立を待つ。通信が確立すると、制御部２０１は、Ｓ４０１に進み、通信相手のデジタルビデオカメラ１００が前回通信時のカメラと同じか否か判定する。判定の方法は、例えば、通信するデータに、デジタルビデオカメラ固有のＩＤを含ませておき、前回通信時に保存しておいたＩＤと今回通信が確立したデジタルビデオカメラ１００のＩＤと比較する方法があるなお、判定方法はこれに限らない。通信が確立した外部機器が前回通信した外部機器と同じであるか否かをユーザに問い合わせて情報をユーザに入力させる構成でも良い。
通信相手のデジタルビデオカメラ１００が前回通信時のカメラと異なる場合は、Ｓ４０
２に進み、制御部２０１は、デジタルビデオカメラ１００で画像データに付加するために用いられる付加情報の候補を送信するようデジタルビデオカメラ１００に要求する。
【００２５】
Ｓ４０３にて、制御部２０１は、デジタルビデオカメラ１００からの応答を待つ。デジタルビデオカメラ１００は、画像データが既に記録されていれば、最後に記録した画像データに付加されている付加情報を候補として送信する。さらに、デジタルビデオカメラ１００は、ＳＤカード２０に付加情報のプリセットデータが記録されている場合は、ＳＤカード２０内の付加情報のプリセットデータを付加情報の候補として送信する。また、デジタルビデオカメラ１００は、図３のメニューにて、新たに記録する画像データに付加するよう設定された付加情報のプリセットデータについての情報も付加情報の候補として送信する。制御部２０１は、Ｓ４０３にて付加情報の候補を受信すると、Ｓ４０４に進む。
【００２６】
Ｓ４０４において、制御部２０１は、付加情報の取得、入力及び送信を行うＧＵＩ（Graphical User Interface）のメニュー５００（以下、付加情報画面）を表示部２０２に表示する。
図５は、Ｓ４０４にて表示部２０２に表示される付加情報画面５００の例である。付加情報画面５００は、取得画面５００Ａ、入力画面５００Ｂ、送信画面５００Ｃから構成される。
取得画面５００Ａは、デジタルビデオカメラ１００から付加情報を取得する指示を入力する画面である。入力画面５００Ｂは、ユーザが付加情報を入力する画面である。送信画面５００Ｃは、ユーザが入力した付加情報をデジタルビデオカメラ１００に送信する指示を入力する画面である。
【００２７】
図５の付加情報画面５００の例では、取得画面５００Ａは、「Ｌａｓｔ  Ｃｌｉｐ」ボタン５０７、「ＳＤ  ＣＡＲＤ」ボタン５０８、付加情報プリセットデータ５０９を有する。入力画面Ｂは、クリップタイトル５０１、撮影者５０２、撮影場所５０３、撮影内容５０４の各フィールドを有する。送信画面５００Ｃは、「Ｒｅｗｒｉｔｅ  Ｐｒｅｖ」ボタン５０５及び「Ｎｅｘｔ  Ｃｌｉｐ」ボタン５０６を有する。なお、付加情報画面５００の構成はこの例に限らない。
ユーザは、操作部２０３に含まれる十字キーの操作や表示部２０２に対するタッチ操作により、取得画面５００Ａ、入力画面５００Ｂ、送信画面５００ＣのＧＵＩを介して、付加情報の取得指示、付加情報の編集及び入力、付加情報やコマンドの送信を行う。
【００２８】
＜取得画面＞
取得画面５００Ａには、デジタルビデオカメラ１００から取得する付加情報の候補が表示される。付加情報の候補はＳ４０３で取得している。
Ｓ４０３において、デジタルビデオカメラ１００が最後に記録した画像データに付加されている付加情報を候補として受信した場合は、取得画面５００Ａに「Ｌａｓｔ  Ｃｌｉｐ」ボタン５０７が表示される（アクティブになる）。
【００２９】
Ｓ４０３において、ＳＤカード２０内の付加情報のプリセットデータを候補として受信した場合は、取得画面５００Ａに「ＳＤ  ＣＡＲＤ」ボタン５０８が表示される（アクティブになる）。「ＳＤ  ＣＡＲＤ」ボタン５０８がアクティブな状態で、ユーザが操作「ＳＤ  ＣＡＲＤ」ボタン５０８をクリック又はタッチする操作を行うと、ＳＤカード２０内に記録されている付加情報のプリセットデータの一覧を示すＧＵＩ部品５０９が表示される。そして、ユーザが所望のプリセットを選択する操作を行うためのカーソル５１１が表示される。
【００３０】
図５において、「Ｄａｔａ３」の横に表示されたマーク５１０は、デジタルビデオカメラ１００にて図３に示したメニュー操作によりユーザが選択した付加情報のプリセットデ
ータを示している。このマーク５１０により、携帯端末２００を操作しているユーザに、デジタルビデオカメラ１００で設定されている付加情報のプリセットデータが何であるかの情報を通知することができる。
【００３１】
Ｓ４０３において、デジタルビデオカメラ１００から取得する付加情報の候補として他の候補を受信していた場合は、当該候補についても取得画面に表示する。
「Ｌａｓｔ  Ｃｌｉｐ」ボタン５０７、「ＳＤ  ＣＡＲＤ」ボタン５０８、付加情報プリセットデータ５０９のいずれかに対し、ユーザは、デジタルビデオカメラ１００から取得する付加情報を選択する操作を行う。選択する操作が行われると、処理は図４におけるＳ４０５に進む。
【００３２】
Ｓ４０５において、制御部２０１は、デジタルビデオカメラ１００に、Ｓ４０４でユーザに選択された付加情報を送信するよう要求を送信する。Ｓ４０４でユーザが「Ｌａｓｔ
Ｃｌｉｐ」ボタン５０７を選択した場合、制御部２０１は、デジタルビデオカメラ１００に、最後に記録した画像データに付加されている付加情報を要求する。Ｓ４０４でユーザが「ＳＤ  ＣＡＲＤ」ボタン５０８のいずれかのプリセットデータを選択した場合、制御部２０１は、デジタルビデオカメラ１００に、新たに記録する画像データに付加するよう設定されている付加情報プリセットを要求する。
【００３３】
このように、実施例１では、取得画面５００Ａにおいて、デジタルビデオカメラ１００が最後に記録した画像データに付加されている付加情報をデジタルビデオカメラ１００から取得するのか、プリセットデータを取得するのか、の指示の入力を受け付ける。
Ｓ４０６において、制御部２０１は、デジタルビデオカメラ１００から、Ｓ４０５で要求した付加情報を受信すると、Ｓ４０７に進む。
【００３４】
＜入力画面＞
ここで、図５の付加情報画面５００における入力画面５００Ｂについて説明する。
クリップタイトル５０１は、画像データのタイトルを入力するフィールドである。撮影者５０２は、画像データを撮影した撮影者を入力するフィールドである。撮影場所５０３は、画像データの撮影場所を入力するフィールドである。撮影内容５０４は、画像データの撮影内容を入力するフィールドである。
Ｓ４０７において、制御部２０１は、Ｓ４０６で受信した付加情報に基づき、入力画面５００Ｂ内のフィールド５０１〜５０４に提示する初期値を決定する。
Ｓ４０８にてユーザは各フィールドを自由に編集する。
【００３５】
＜送信画面＞
ここで、図５の付加情報画面５００における送信画面について説明する。
「Ｒｅｗｒｉｔｅ  Ｐｒｅｖ」ボタン５０５は、デジタルビデオカメラ１００において最後に記録した画像データの付加情報を、画面５００の各フィールドにユーザが入力した付加情報によって更新する指示を入力する操作のためのＧＵＩ部品である。ボタン５０５をクリック又はタッチする操作により、携帯端末２００からデジタルビデオカメラ１００に、ユーザ入力された付加情報が送信される。それとともに、デジタルビデオカメラ１００で最後に記録した画像データの付加情報を、ユーザ入力された付加情報で上書きする指示が、デジタルビデオカメラ１００に送信される。
【００３６】
「Ｎｅｘｔ  Ｃｌｉｐ」ボタン５０６は、デジタルビデオカメラ１００において今後、記録する画像データに、画面５００の各フィールドにユーザが入力した付加情報を付加する指示を入力する操作を行うためのＧＵＩ部品である。ボタン５０６をクリック又はタッチする操作により、携帯端末２００からデジタルビデオカメラ１００に、ユーザ入力された付加情報が送信される。それとともに、デジタルビデオカメラ１００で今後、記録する
画像データに、当該ユーザ入力された付加情報を付加する指示が、デジタルビデオカメラ１００に送信される。
【００３７】
Ｓ４０８でユーザが入力画面の各フィールドの内容を編集した後、ユーザが「Ｒｅｗｒｉｔｅ  Ｐｒｅｖ」ボタン５０５又は「Ｎｅｘｔ  Ｃｌｉｐ」ボタン５０６をクリックすると、制御部２０１は、デジタルビデオカメラ１００に、編集後の付加情報を送信する。また、「Ｒｅｗｒｉｔｅ  Ｐｒｅｖ」ボタン５０５が選択された場合、制御部２０１は、デジタルビデオカメラ１００で最後に記録された画像データの付加情報を、Ｓ４０８で編集後の付加情報で更新するようデジタルビデオカメラ１００に指示を送信する。一方、「Ｎｅｘｔ  Ｃｌｉｐ」ボタン５０６が選択された場合、制御部２０１は、デジタルビデオカメラ１００で今後、記録される画像データの付加情報を、Ｓ４０８で編集後の付加情報とするようデジタルビデオカメラ１００に指示を送信する。
【００３８】
例えば、Ｓ４０５においてユーザが「Ｌａｓｔ  Ｃｌｉｐ」ボタン５０７を選択した場合、携帯端末２００は、Ｓ４０６においてデジタルビデオカメラ１００から最後に記録した画像データの付加情報を受信する。当該付加情報において、画像データのタイトルが「北アルプス」、撮影者が「鈴木」、撮影場所が「往路」、撮影内容が「風景」であるとする。この場合、Ｓ４０７でこの付加情報を受信した携帯端末２００は、付加情報画面５００のクリップタイトル５０１に「北アルプス」、撮影者５０２に「鈴木」、撮影場所５０３に「往路」、撮影内容５０４に「風景」をそれぞれ付加情報の初期値として表示する。
【００３９】
カメラマンが同じ場所で続いて「登山者」をテーマにした撮影を次に行う状況を想定する。この場合、携帯端末２００のユーザは、付加情報画面５００において、撮影内容５０４のフィールドを編集して「風景」から「登山者」に変更し、「Ｎｅｘｔ  Ｃｌｉｐ」ボタン５０６をクリックする。そうすると、携帯端末２００からデジタルビデオカメラ１００に、画像データのタイトルが「北アルプス」、撮影者が「鈴木」、撮影場所が「往路」、撮影内容が「登山者」という内容の付加情報が送信される。そして、今後、デジタルビデオカメラ１００で撮影する画像データにはこの付加情報が付加される。
【００４０】
このように、付加情報の一部しか変わらない連続的な素材撮りのような撮影において、ユーザは、変更のあった付加情報のフィールドのみ編集すれば良いので、携帯端末２００による付加情報の編集作業を効率化できる。また、携帯端末２００のユーザは、デジタルビデオカメラ１００において、どのような付加情報が画像データに付加されているかを容易に把握することができる。
【００４１】
Ｓ４０１において、通信相手のデジタルビデオカメラ１００が前回通信時のカメラと同じか否か判定した結果、同一であった場合、制御部２０１はＳ４０９に進む。
Ｓ４０９において、制御部２０１は、前回の通信からの経過時間が閾値以上であるか（所定時間経過したか）否か判定する。経過時間の情報は、タイマ２１により取得する。経過時間が閾値より短い場合は、前回の通信時から付加情報が変化していないことが考えられるため、制御部２０１は、Ｓ４１０に進み、付加情報画面５００の取得画面５００Ａを表示させずに、Ｓ４０８に進んで、入力画面５００Ｂにおける入力を受け付ける。このように、実施例１では、携帯端末２００とデジタルビデオカメラ１００との通信が確立した時点で、前回、記録装置から付加情報を受信してからの経過時間が閾値より短かった場合、通信が確立した記録装置から付加情報を受信しないようにした。これにより、付加情報が変化していないような短時間の間に何度も不要な通信が行われることを抑制でき、処理負荷を軽減できる。
【００４２】
なお、実施例１では、情報入力装置と記録装置との通信が確立したときに、当該記録装置が、前回、付加情報を受信した記録装置と同一で、かつ、前回の付加情報の受信からの
経過時間が短い場合に、改めて付加情報を受信することをしない構成を例示した。しかし、情報入力装置と記録装置との通信が確立したときに、当該記録装置が、前回、付加情報を受信した記録装置と同一ならば、当該記録装置から付加情報を取得しない構成とすることもできる。
【００４３】
また、実施例１では、情報入力装置と記録装置との通信が確立した後、ユーザから、記録装置から取得する付加情報の指定を受け付け、指定された付加情報を記録装置から受信し、受信した付加情報に基づき付加情報の編集画面における初期値を設定した。しかし、このようなユーザの入力を待たずに、通信確立時に、所定の付加情報を自動的に記録装置から取得し、自動的に初期値を設定した状態で付加情報画面を表示して初期値を提示するようにしても良い。
【００４４】
図６は、デジタルビデオカメラ１００の動作を示すフローチャートである。このフローチャートで示す処理は、デジタルビデオカメラ１００がカメラモードで通信状態にある場合に実行される。
Ｓ６００において、制御部１０は、コマンド又はデータの受信を待つ。受信した場合は、Ｓ６０１にて、制御部１０は、受信したコマンド又はデータが、情報送信要求か否か判定し、情報送信要求であった場合、Ｓ６０２に進み、情報送信要求でない場合、Ｓ６０３に進む。情報送信要求でない場合、デジタルビデオカメラ１００が受信したのは、携帯端末２００から送信された付加情報と、その付加情報を所定の画像データに付加するコマンドである。
【００４５】
Ｓ６０３において、制御部１０は、画像データの記録中であるか否かを判定する。記録中であると判定されるのは、例えば、画像データの記録が開始された後、画像データの記録が停止されていない場合である。制御部１０は、記録中であると判定するとＳ６０４に進み、記録中でないと判定するとＳ６０８に進む。
【００４６】
Ｓ６０４において、制御部１０は、Ｓ６００で受信したコマンドがＡｐｐｌｙ  Ｃｌｉｐコマンドであるか判定する。Ａｐｐｌｙ  Ｃｌｉｐコマンドとは、携帯端末２００から受信した付加情報を、現在記録している動画像データに付加する（関連付ける付加情報として適用する）ことを指示するコマンドである。Ａｐｐｌｙ  Ｃｌｉｐコマンドを受信したと判定した場合、制御部１０は、Ｓ６０５に進み、受信していないと判定した場合はＳ６０６に進む。
【００４７】
Ｓ６０５において、現在デジタルビデオカメラ１００に設定されている付加情報を、携帯端末２００から受信した付加情報で更新する。現在デジタルビデオカメラ１００に設定されている付加情報は、ＲＡＭ１８に記憶されており、制御部１０は、この付加情報を、携帯端末２００から受信した付加情報で書き換える。
【００４８】
Ｓ６０６において、制御部１０は、画像データの記録を停止したか否かを判定する。画像データの記録を停止したと判定するのは、例えば、操作部１６の撮影停止ボタンによって記録停止が指示された場合や、記録停止するコマンドを受信して動画像データの記録停止が指示された場合である。制御部１０は、画像データの記録を停止したと判定するとＳ６０７に進み、停止していないと判定するとＳ６００に戻り処理を繰り返す。
【００４９】
Ｓ６０７において、今まで撮影していた画像データに関連付けられている付加情報の更新を行う。今まで撮影していた画像データとそれに関連付けられた付加情報は記録媒体２０に記録されている。制御部１０は、記録媒体２０に記録されている今まで撮影していた画像データに関連付けられた付加情報を、携帯端末２００から受信し、Ｓ６０５でＲＡＭ１８に記録した付加情報で更新する。
【００５０】
Ｓ６０８において、制御部１０は、Ｓ６００で受信したコマンドがＲｅｗｒｉｔｅ  Ｐｒｅｖコマンドであるか判定する。Ｒｅｗｒｉｔｅ  Ｐｒｅｖコマンドとは、直前に（最後に）記録した画像データに関連付けられている付加情報を、携帯端末２００から受信した付加情報で書き換える（更新する）コマンドである。制御部１０は、Ｒｅｗｒｉｔｅ  Ｐｒｅｖコマンドを受信したと判定するとＳ６０９に進み、受信していないと判定した場合はＳ６１３に進む。
【００５１】
Ｓ６０９において、制御部１０は、Ｓ６０５と同様に、現在デジタルビデオカメラ１００に設定されている付加情報を、携帯端末２００から受信した付加情報で更新する。現在デジタルビデオカメラ１００に設定されている付加情報は、ＲＡＭ１８に記憶されており、制御部１０は、この付加情報を、携帯端末２００から受信した付加情報で書き換える。
【００５２】
Ｓ６１０において、制御部１０は、最後に撮影した画像データに関連付けられている付加情報の更新を行う。最後に撮影した画像データとそれに関連付けられた付加情報は記録媒体２０に記録されている。制御部１０は、記録媒体２０に記録されている最後に撮影した画像データに関連付けられた付加情報を、携帯端末２００から受信し、Ｓ６０９でＲＡＭ１８に記録した付加情報で更新する。
【００５３】
Ｓ６１３において、制御部１０は、Ｓ６００で受信したコマンドがＮｅｘｔ  Ｃｌｉｐコマンドであるか判定する。Ｎｅｘｔ  Ｃｌｉｐコマンドとは、これから（今後、新たに）撮影しようとしている画像データに関連付けて記録する付加情報として、携帯端末２００から受信した付加情報を採用するコマンドである。制御部１０は、Ｎｅｘｔ  Ｃｌｉｐコマンドを受信したと判定するとＳ６１４に進み、受信していないと判定するとＳ６１１に進む。
【００５４】
Ｓ６１４において、制御部１０は、Ｓ６０９と同様に、現在デジタルビデオカメラ１００に設定されている付加情報を、携帯端末２００から受信した付加情報で更新する。現在デジタルビデオカメラ１００に設定されている付加情報は、ＲＡＭ１８に記憶されており、制御部１０は、この付加情報を、携帯端末２００から受信した付加情報で書き換える。
【００５５】
Ｓ６１１において、制御部１０は、画像データの記録を開始したか否かを判定する。記録を開始したと判定するのは、例えば、操作部１６の撮影開始ボタンによって記録開始が指示された場合である。制御部１０は、画像データの記録を開始したと判定すると、Ｓ６１２に進み、開始していないと判定すると、Ｓ６００に戻り処理を繰り返す。
Ｓ６１２において、新しく撮影を開始した画像データに関連付けて、携帯端末２００から受信し、Ｓ６０９又はＳ６１４でＲＡＭ１８に記録した付加情報を記録媒体２０に記録する。
【００５６】
Ｓ６００で受信したコマンド又はデータが、情報送信要求であったためＳ６０２に進んだ場合、制御部１０は、Ｓ６０２において、送信要求されているのは付加情報の候補か、付加情報のデータ自体かを判定する。付加情報の候補とは、付加情報画面５００の入力画面５００Ｂに初期値として入力する情報の取得先の候補である。
【００５７】
情報送信要求が付加情報の候補の要求であった場合、制御部１０は、Ｓ６１６に進み、付加情報の候補の情報を携帯端末２００へ送信する。
情報送信要求が付加情報のデータであった場合、制御部１０は、Ｓ６１５に進み、送信要求されている付加情報（ここでは、最後に記録した画像データの付加情報、又は、ＳＤカード２０に記録されている付加情報）を携帯端末２００へ送信する。
【００５８】
実施例１では、図４のＳ４０２からＳ４０６までの処理で、携帯端末２００の制御部２０１は、付加情報の候補の要求と、ユーザに指定された付加情報の要求とを順に行っている。また、デジタルビデオカメラ１００は、図６のＳ６０２において、この２種類の要求を判定して、それぞれの要求に応じた応答を返している。しかし、このような候補を取得して候補のうちの１つを選択する、という処理を省略し、携帯端末２００がデジタルビデオカメラ１００に対し、デジタルビデオカメラ１００に存在する全ての付加情報の送信を要求しても良い。この場合、１回の全付加情報の送信要求に対し、デジタルビデオカメラ１００は、自機に存在する全ての付加情報を携帯端末２００に送信する応答を１回行えば良く、コマンドと情報の送受信の回数を１回にすることも可能である。
【００５９】
実施例１により、ユーザは、付加情報画面５００を開くと、必要に応じて取得画面５００Ａが自動的に表示され、通信しているデジタルビデオカメラから指定の付加情報を取得して、入力画面５００Ｂの初期値として自動的に設定することができる。これにより、外部の情報入力装置を用いて記録装置（撮影装置）に付加情報を設定するための入力及び編集作業を容易に行うことができ、作業の効率化が図られる。
【００６０】
＜実施例２＞
実施例２は、実施例１で説明した図１及び図２と同様の機能構成を有する。
携帯端末２００において、図７に示すメニュー（自動取得設定メニュー）にて、デジタルビデオカメラ１００との通信確立時に自動で付加情報を取得する方法を予め設定しておく。図７のメニュー７０１は、自動で付加情報を取得する方法の選択肢を示している。ＯＦＦボタン７０２を選択すると、自動取得の機能を無効化する。「Ｌａｓｔ  Ｃｌｉｐ」ボタン７０３を選択すると、デジタルビデオカメラ１００との通信確立時に、デジタルビデオカメラ１００が最後に記録した画像データの付加情報を自動で取得する設定とする。「ＳＤ  ＣＡＲＤ」ボタン７０４を選択すると、デジタルビデオカメラ１００との通信確立時に、デジタルビデオカメラ１００で図３のメニューで設定していたＳＤカード２０内に記録されている付加情報のプリセットデータを自動で取得する設定とする。
【００６１】
図８は、実施例２における携帯端末２００の処理を示すフローチャートである。図８における各処理は、携帯端末２００を構成する制御部２０１がＲＯＭ２０５に格納されたプログラムをＲＡＭ２０６に展開して実行することにより実現される。ユーザの操作部２０３に対する操作によって携帯端末２００が外部機器制御モードに設定されると図８の処理が開始する。
【００６２】
図４同様に、携帯端末２００の制御部２０１は、Ｓ４００にて外部機器との通信の確立を待ち、通信が確立すると、Ｓ４０１にて通信相手のカメラが前回と同一であるか判定する。
Ｓ８０１において、制御部２０１は、メニュー７００で設定された自動取得設定が「ＯＦＦ」であるか判定し、ＯＦＦであった場合はＳ４０８に進み、ＯＦＦでなかった場合は、Ｓ８０２に進む。
Ｓ８０２において、制御部２０１は、メニュー７００で設定された自動取得設定に従い、付加情報の要求をデジタルビデオカメラ１００に送信する。
【００６３】
Ｓ８０３において、制御部２０１は、デジタルビデオカメラ１００に対し、メニュー７００で設定された自動取得設定に基づく付加情報の有無を問い合わせる。
Ｓ８０４において、制御部２０１は、デジタルビデオカメラ１００に、自動取得設定に基づく付加情報があったか否かを判定する。付加情報があった場合、制御部２０１は、Ｓ４０７に進み、実施例１と同様に、入力画面５００Ｂの各フィールドに、取得した付加情報に基づく初期値を設定する。
【００６４】
付加情報がなかった場合、制御部２０１は、Ｓ４０８に進む。付加情報がないと判定されるのは、自動取得設定が「Ｌａｓｔ  Ｃｌｉｐ」設定の場合は、デジタルビデオカメラ１００に画像データが記録されていないときや、最後に記録した画像データに付加情報が付加されていないときである。また、付加情報がないと判定されるのは、自動取得設定が「ＳＤ  ＣＡＲＤ」設定の場合は、以下のようなときである。デジタルビデオカメラ１００にＳＤカード２０が接続されていないときや、ＳＤカード２０内に付加情報のプリセットデータが記録されていないときや、デジタルビデオカメラ１００のメニュー３００での付加情報の設定を行っていないときである。
【００６５】
実施例２によれば、ユーザは、付加情報画面５００を開くと、自動的に、通信対象のデジタルビデオカメラから自動取得設定に従った付加情報を取得して、入力画面５００Ｂの初期値とすることができ、付加情報の編集作業が容易に始められる。
【００６６】
本発明によれば、タブレットＰＣやスマートフォン等から、撮影装置で撮影した画像に関連付けて、付加情報を記録する場合に、必要に応じて、撮影装置内の付加情報を確認することができる。確認した上で、編集し撮影装置で撮影する画像に付加情報として付加することが可能となる。なお、上記の実施例では、記録装置から画像データに付加されている付加情報を取得し、取得した情報に基づき、情報入力装置において付加情報を編集する際の初期値を提示する例を説明した。しかし、初期値として提示する情報は、記録装置から取得した付加情報に限定されない。例えば、予め、情報入力装置の内部の記憶装置に、初期値として提示する情報を記憶させておき、この情報に基づき初期情報を提示するようにしても良い。また、ユーザが情報入力装置で入力した情報を初期値として用いても良い。いずれの場合も、予め設定された初期値の情報が付加情報の編集開始段階で既に各フィールドに入力されている状態になるため、ユーザが付加情報を編集する負荷を大幅に軽減でき、効率的な付加情報の編集及び記録装置への送信を行うことができる。
【００６７】
本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせても良い。
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
その場合、プログラムの機能を有していれば、オブジェクトコード、インタプリタにより実行されるプログラム、ＯＳに供給するスクリプトデータ等、プログラムの形態を問わない。
プログラムを供給するための記録媒体としては、例えば、ハードディスク、磁気テープ等の磁気記録媒体、光／光磁気記憶媒体、不揮発性の半導体メモリでも良い。
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【００６８】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６９】
２００：携帯端末、２０１：制御部、２０２：表示部、２０３：操作部、２０４：無線通信部
【図１】
2017163222.tif 000003
【図２】
2017163222.tif 000004
【図３】
2017163222.tif 000005
【図４】
2017163222.tif 000006
【図５】
2017163222.tif 000007
【図６】
2017163222.tif 000008
【図７】
2017163222.tif 000009
【図８】
2017163222.tif 000010